(57)【特許請求の範囲】
【請求項１】
建物に形成された躯体開口部の内部に、開閉可能に嵌め込まれる戸であって、
縦框と横框により框組みされ且つ框芯材を有する框体と、
該框体の内側に形成された開口部と、
前記開口部の内部に嵌め込まれる障子又はガラスと、
前記開口部の周囲に配置されて縦枠と横枠により枠組みされ且つ開口部芯材を有する開口部枠体と、を備え、
前記開口部芯材は、前記開口部の周囲に配置された本体部と、該本体部から延出して前記框芯材まで延びる延出部と、を有し、
前記開口部芯材の前記延出部は、前記框芯材によって形成される溝の内部に飲み込ませることのみにより接続され、前記溝の内部に当接せず、火災時の熱によって前記溝の内部に当接する戸。
【請求項２】
前記本体部は、縦芯材と横芯材により枠組みされて形成され、
前記延出部は、前記縦芯材及び前記横芯材のうち少なくとも一方が延出して前記框芯材まで延びることで形成された請求項１記載の戸。
【請求項３】
前記延出部は、前記縦芯材が延出して前記框芯材まで延びることで形成された請求項２記載の戸。
【請求項４】
前記開口部に開閉可能に嵌め込まれた障子を備える請求項１から３いずれか記載の戸。
【発明の詳細な説明】
【技術分野】
【０００１】
本発明は、戸に関する。
【背景技術】
【０００２】
従来、ドア等の建具において、防火性能を向上させる技術が知られている（例えば、特許文献１参照）。
ところで、建具の備える戸に、更に開口を形成し、その開口に障子やガラスを嵌め込む場合がある。例えば、開口に障子を嵌め込んだ戸において、その障子を開放すれば、戸を開放することなく屋内の換気を行うことが可能になる。
【先行技術文献】
【特許文献】
【０００３】
【特許文献１】特開２０１３−７９５６３号公報
【発明の概要】
【発明が解決しようとする課題】
【０００４】
しかしながら、このような戸は、火災における熱によって、戸に形成された開口周囲の枠が反ってしまい、戸と戸に形成された開口に嵌め込まれた障子との間に隙間が生じてしまう可能性がある。火災において、戸と障子との間に隙間が生じた場合、火炎や煙がその隙間を通過してしまう。
【０００５】
このような問題に対して、戸の框の内部だけでなく、戸に形成された開口の枠の内部に芯材を配置して、枠の反りを防止することが考えられる。このように、戸に形成された開口の枠の反りを防止すれば、建具の防火性能を向上させることができる。
【０００６】
しかし、建具に求められる防火性能は近年更に高まってきており、開口が形成された戸において戸に形成された開口の枠の内部に芯材を配置するだけでは、戸自体の反りを十分に抑制できず、満足できる防火性能が得られない場合があった。
【０００７】
本発明は、上記課題に鑑みてなされたものであり、防火性能をより向上させた、開口が形成されてその開口に障子又はガラスの嵌め込まれた戸を提供することを目的とする。
【課題を解決するための手段】
【０００８】
上記目的を達成するため本発明は、建物に形成された躯体開口部（例えば、後述の躯体開口部Ａ）の内部に、開閉可能に嵌め込まれる戸（例えば、後述の戸１）であって、縦框（例えば、後述の縦框２３及び縦框２４）と横框（例えば、後述の上框２１及び下框２２）により框組みされ且つ框芯材（例えば、後述の框芯材２０２）を有する框体（例えば、後述の框体２０）と、該框体の内側に形成された開口部（例えば、後述の開口部３０）と、前記開口部の内部に嵌め込まれる障子又はガラス（例えば、後述の障子４０）と、前記開口部の周囲に配置されて縦枠（例えば、後述の開口部縦枠５３及び開口部縦枠５４）と横枠（例えば、後述の開口部上枠５１及び開口部下枠５２）により枠組みされ且つ開口部芯材（例えば、後述の開口部芯材５０２）を有する開口部枠体（例えば、後述の開口部枠体５０）と、を備え、前記開口部芯材は、前記開口部の周囲に配置された本体部（例えば、後述の本体部５５２）と、該本体部から延出して前記框芯材まで延びる延出部（例えば、後述の延出部５６２ａ，５６２ｂ，５６２ｃ）と、を有する戸を提供する。
【０００９】
本発明では、框体の内側に開口部が形成され且つ開口部の内部に嵌め込まれる障子又はガラスを備える戸において、開口部枠体が開口部芯材を有するものとする。更に、開口部芯材が、開口部の周囲に配置された本体部と、本体部から延出して框体の有する框芯材まで延びる延出部と、を有するものとする。
これにより、火災時の熱によって開口部枠体の反りだけではなく、戸自体が反ってしまうことを防ぐことができる。戸自体が反るのを防止することにより、戸と障子又はガラスとの間だけではなく、戸と戸を嵌め込んだ固定枠体との間に、火炎や煙が通過する隙間が生じるのを防ぐことができるので、戸の防火性能が更に向上する。
【００１０】
また、前記本体部は、縦芯材（例えば、後述の開口部縦枠芯材５３２及び開口部縦枠芯材５４２）と横芯材（例えば、後述の開口部上枠芯材５１２及び開口部下枠芯材５２２）により枠組みされて形成され、前記延出部は、前記縦芯材及び前記横芯材のうち少なくとも一方が延出して前記框芯材まで延びることで形成されることが好ましい。
【００１１】
また、前記延出部は、前記縦芯材が延出して前記框芯材まで延びることで形成されることが好ましい。
【００１２】
また、前記開口部に開閉可能に嵌め込まれた障子（例えば、後述の障子４０）を備えることが好ましい。
【発明の効果】
【００１３】
本発明によれば、防火性能をより向上させた、開口が形成されてその開口に障子又はガラスの嵌め込まれた戸を提供することを目的とする。
【図面の簡単な説明】
【００１４】
【図１】本発明の一実施形態に係る戸を備える建具を屋外側から見た姿図である。
【図２】上記実施形態に係る戸を備える建具を屋内側から見た姿図である。
【図３】上記実施形態に係る戸の縦断面図である。
【図４】上記実施形態に係る戸の横断面図である。
【図５】上記実施形態に係る戸を屋内側からみた図であって、屋内側の面材等を除いた戸を示す図である。
【図６】図５の領域Ｒ１の拡大図であり、縦枠芯材と横枠芯材との連結方法を示すための図である。
【図７Ａ】図５の領域Ｒ２の拡大斜視図であり、縦枠芯材と横框芯材の接続部分について示す図である。
【図７Ｂ】図５の領域Ｒ２の拡大斜視図であり、縦枠芯材と横框芯材の接続部分について示す図である。
【発明を実施するための形態】
【００１５】
以下、本発明の一実施形態について、図面を参照しながら詳しく説明する。
図１は、本実施形態に係る戸１を備える建具１００を屋外側から見た姿図である。図２は、本実施形態に係る戸１を備える建具１００を屋内側から見た姿図である。戸１は、玄関ドア等の開き戸である。本明細書において、「吊元側」とは、戸１の吊元側を意味し、「戸先側」とは、戸１の戸先側を意味する。
建具１００は、固定枠体１１０と、丁番１２１，１２２，１２３と、ドアクローザ１３０（図２参照）と、ドアガード１４０（図２参照）と、を更に備える。
【００１６】
固定枠体１１０は、建物に形成された躯体開口部Ａの周囲に配置される。固定枠体１１０は、横枠としての固定上枠１１１及び固定下枠１１２と縦枠としての吊元側の固定縦枠１１３及び戸先側の固定縦枠１１４により矩形に枠組みされる。
【００１７】
丁番１２１，１２２，１２３は、吊元側の固定縦枠１１３及び戸１に接続される。
ドアクローザ１３０は、戸１の屋内側の上側であって、戸１の見付方向（戸１の幅方向）の中心よりも吊元側に寄って配置される。ドアクローザ１３０は、本体が戸１に、アームが固定上枠１１１に、それぞれ接続され、戸１を自動的に閉じる。
【００１８】
ドアガード１４０は、戸１に配置され且つループ状に形成されたドアガード本体部１４１と、戸先側の固定縦枠１１４に配置され且つドアガード本体部１４１が掛合することが可能なドアガード受け部１４２と、を有する。ドアガード１４０は、ドアガード本体部１４１がドアガード受け部１４２に掛合することで、戸１が開放されるのを制限する。
【００１９】
戸１は、建物に形成された躯体開口部Ａの内部に、開閉可能に嵌め込まれる。具体的には、戸１は、丁番１２１，１２２，１２３によって、固定枠体１１０の内側に吊り込まれる。
戸１は、框体２０と、開口部３０と、障子４０と、開口部枠体５０と、屋外側面材６１と、屋外側ハンドル６２と、シリンダー６３，６４と、屋内側面材７１と、屋内側ハンドル７２と、サムターン７３，７４と、格子８０と、を備える。
【００２０】
框体２０は、戸体の四周を囲んで配置される。框体２０は、横框としての上框２１及び下框２２と縦框としての吊元側の縦框２３及び戸先側の縦框２４により矩形に框組みされる。
開口部３０は、框体２０の内側であって、戸１の見付方向（戸１の幅方向）の中心よりも吊元側に形成される。
【００２１】
障子４０は、開口部３０の内側に嵌め込まれる。障子４０は、縦辷り出しタイプの障子であり、障子４０を開放すれば、戸１を開放することなく屋内の通気・換気（採風）が可能になる。
障子４０は、採風框体４１と、ガラス４２と、把手４３（図２参照）と、を備える。採風框体４１は、横框としての採風上框４１１及び採風下框４１２と縦框としての吊元側の採風縦框４１３及び戸先側の採風縦框４１４により矩形に框組される（図２参照）。ガラス４２は、採風框体４１の内側に嵌め込まれる。把手４３は、吊元側の採風縦框４１３の屋内側に配置される。障子４０の吊元は、戸１の戸先側に、障子４０の戸先は、戸１の吊元側に、それぞれ配置される。
【００２２】
開口部枠体５０は、開口部３０の周囲に配置される。開口部枠体５０は、横枠としての開口部上枠５１及び開口部下枠５２と縦枠としての吊元側の開口部縦枠５３及び戸先側の開口部縦枠５４により矩形に枠組みされる。
【００２３】
屋外側面材６１は、戸１の屋外側の表面に配置される（図１参照）。
屋外側ハンドル６２は、戸１の屋外戸先側における高さ方向の略中央部に配置される。屋外側から屋外側ハンドル６２を把持して戸１を屋外側に引くことで、戸１を、丁番１２１，１２２，１２３を中心に回動させて開放することができる。
【００２４】
シリンダー６３，６４は、屋外側ハンドル６２の上下にそれぞれ配置される。シリンダー６３，６４は、鍵を挿入して回転させることができる。シリンダー６３，６４を回転させることで図示しないデットボルトを操作できる。デットボルトを操作することで建具１００を施錠できる。
【００２５】
屋内側面材７１は、戸１の屋内側の表面に配置される（図１参照）。
屋内側ハンドル７２は、戸１の屋内戸先側における高さ方向の略中央部に配置される。屋外側から屋内側ハンドル７２を把持して引くことで、戸１を、丁番１２１，１２２，１２３を中心に回動させて開放することができる。
【００２６】
サムターン７３，７４は、屋内側ハンドル７２の上下にそれぞれ配置される。サムターン７３，７４を回転させることによっても、図示しないデットボルトを操作して、建具１００を施錠できる。
【００２７】
格子８０は、開口部３０（障子４０）の屋外側に配置される。格子８０は、縦格子８１と、水平材８２と、を有する。
縦格子８１は、戸１の上端から下端に亘って延設される。水平材８２は、縦格子８１の障子側に配置され、縦格子８１の高さ方向の略中央部において、縦格子８１と直角に交差する。
【００２８】
図３は、戸１の縦断面図である。
図３に示すように、ガラス４２は、屋外側の板ガラス４２１と、屋内側の板ガラス４２２と、これら２枚の板ガラスで挟持されたスペーサ４２３と、を備える複層ガラスであり、優れた断熱性を有する。
なお、戸１は、ガラス４２の屋外側に配置される網６５を有する。網６５は、障子４０を開放することで屋外と屋内とを開口部３０を通じて連通させた際に、虫等が屋内に侵入するのを防ぐ。また、戸１は、屋外側面材６１と屋内側面材７１との間に配置される断熱材Ｈを有する。断熱材Ｈは、例えば、発泡ポリスチレンからなる。
【００２９】
上框２１は、断面がＵ字状である樹脂上框２１１と、樹脂上框２１１の内部に配置される断面がＵ字状の上框芯材２１２と、上框２１のエッジ部分を覆うエッジ部材２１３と、を有する。樹脂上框２１１及び上框芯材２１２は、リベット２１ａによって接続される。
【００３０】
開口部上枠５１は、開口部上枠本体５１１と、開口部上枠芯材５１２と、開口部上枠内部芯材５１３と、を有する。
【００３１】
開口部上枠本体５１１は、中空部５１１ａを有するホロー構造である。また、開口部上枠本体５１１は、下方に延出した延出部５１１ｂを有する。延出部５１１ｂは、屋外側に屈曲しつつ下方に延出する。開口部上枠本体５１１は、例えばアルミニウムで構成される。より具体的には、開口部上枠本体５１１は、アルミニウムを押出成形することで得られる。
【００３２】
開口部上枠本体５１１は、延出部５１１ｂの基端側の屋内側に配置される加熱発泡材５１１ｃと、加熱発泡材５１１ｃの近傍に配置される気密材５１１ｄと、加熱発泡材５１１ｃよりも先端側の屋内側に配置される加熱発泡材５１１ｅと、加熱発泡材５１１ｅの近傍に配置される網６５を固定するための網押し棒５１１ｆと、開口部上枠本体５１１（延出部５１１ｂ）から加熱発泡材５１１ｅが剥がれるのを防止する剥がれ防止具５１１ｇと、を有する。
【００３３】
開口部上枠芯材５１２は、開口部上枠本体５１１の上方に配置される。開口部上枠芯材５１２は、上方に開放した断面Ｃ字状の長尺部材であり、例えば、ステンレスからなる。開口部上枠芯材５１２は、屋外側においてリベット５１２ａによって開口部上枠本体５１１に固定され、屋内側においてリベット５１２ｂによって後述するモール固定部材５１６に固定される。開口部上枠芯材５１２と開口部上枠本体５１１との間には、屋外側面材６１の一部及び加熱発泡材５１２ｃが配置される。開口部上枠芯材５１２とモール固定部材５１６との間には、屋内側面材７１の一部及び加熱発泡材５１２ｄが配置される。
【００３４】
開口部上枠内部芯材５１３は、開口部上枠本体５１１の中空部５１１ａに配置される。開口部上枠内部芯材５１３は、断面が上方に開放したＣ字状の長尺部材であり、例えば、ステンレスからなる。
【００３５】
また、戸１は、開口部屋外上側モール部材５１４と、開口部屋内上側モール部材５１５と、モール固定部材５１６と、を有する。
【００３６】
開口部屋外上側モール部材５１４は、開口部上枠５１の屋外側に配置される。開口部屋外上側モール部材５１４は、図示しないネジによって、後述する開口部屋外吊元側モール部材５３４及び開口部屋外戸先側モール部材５４４と連結される。開口部屋外上側モール部材５１４は、上框２１から開口部上枠５１の屋外側を覆う。
【００３７】
開口部屋内上側モール部材５１５は、開口部上枠５１の屋内側に配置される。
モール固定部材５１６は、開口部屋内上側モール部材５１５を固定するための部材であって、ネジ５１６ａによって開口部上枠本体５１１に締結される。開口部屋内上側モール部材５１５は、スナップフィットによりモール固定部材５１６に固定される。
【００３８】
採風上框４１１は、中空部４１１ａを有するホロー構造である。また、採風上框４１１は、上方に延出した延出部４１１ｂと、下方に形成された溝部４１１ｃと、を有する。採風上框４１１には上面に加熱発泡材４１１ｄが、延出部４１１ｂの屋外側には加熱発泡材４１１ｅが貼り付けられ、加熱発泡材４１１ｄ及び加熱発泡材４１１ｅは、断面がＬ字状の固定金具４１１ｆによって固定される。溝部４１１ｃの内部には、断面が下方に開放したＣ字状の採風上框芯材４１１ｇが配置され、採風上框芯材４１１ｇの内部には加熱発泡材４１１ｈが配置される。
【００３９】
採風上框４１１は、障子４０の閉鎖時に屋外側において気密材５１１ｄと当接する。
ガラス４２の上側の端部は、溝部４１１ｃに嵌め込まれて、グレイジングチャンネル４１１ｉを介して採風上框４１１に挟持される。
【００４０】
下框２２、開口部下枠５２及び採風下框４１２は、それぞれ上框２１、開口部上枠５１及び採風上框４１１とほぼ同様の構造を有する。下框２２、開口部下枠５２及び採風下框４１２については、上框２１、開口部上枠５１及び採風上框４１１と同様の構造には対応する符号を付して説明を省略し、異なる構造について説明する。
【００４１】
開口部下枠本体５２１は、屋外側に配置され、中空部５２１ａから雨水等を排水するための排水弁５２１ｊを有する。
開口部下枠内部芯材５２３には、屋外側及び屋内側にそれぞれ加熱発泡材５２３ａ，５２３ｂが配置される。
また、中空部４１２ａの内部には、断面がＭ字状の採風下框内部芯材４１２ｊが配置され、溝部４１２ｃの内部の加熱発泡材４１２ｈの上には、ガラス４２を支持する緩衝材４１２ｋが配置される。
【００４２】
更に、戸１は、開口部上枠５１及び採風上框４１１と接続される上側アームＳ１と、開口部下枠５２及び採風下框４１２と接続される下側アームＳ２と、を有する。上側アームＳ１及び下側アームＳ２によって、障子４０が開口部３０の内側に開閉可能に吊り込まれる。
【００４３】
図４は、戸１の横断面図である。図４においては、縦格子８１の断面は示さない。
吊元側の縦框２３は、断面がＵ字状である樹脂縦框２３１と、樹脂縦框２３１の内部に配置される断面がＵ字状の縦框芯材２３２と、縦框２３のエッジ部分を覆うエッジ部材２３３と、を有する。樹脂縦框２３１、縦框芯材２３２及びエッジ部材２３３は、ネジ２３ａによって接続される。
【００４４】
開口部縦枠５３は、開口部縦枠本体５３１と、開口部縦枠芯材５３２と、を有する。
開口部縦枠本体５３１は、戸先側に延出した延出部５３１ｂを有する。開口部縦枠本体５３１は、例えばアルミニウムで構成される。より具体的には、開口部縦枠本体５３１は、アルミニウムを押出成形することで得られる。
【００４５】
開口部縦枠本体５３１は、屋内側の面に配置される加熱発泡材５３１ｃと、加熱発泡材の近傍に配置される気密材５３１ｄと、延出部５３１ｂの屋内側に配置される加熱発泡材５３１ｅと、加熱発泡材５３１ｅの近傍に配置される網６５を固定するための網押し棒５３１ｆと、開口部縦枠本体５３１（延出部５３１ｂ）から加熱発泡材５１１ｅが剥がれるのを防止する剥がれ防止具５３１ｇと、を有する。開口部縦枠本体５３１の吊元側の面には、加熱発泡材５３１ｈが配置される。
【００４６】
開口部縦枠芯材５３２は、開口部縦枠本体５３１の吊元側に配置される。開口部縦枠芯材５３２は、断面が吊元側に開放されたＣ字状の長尺部材であり、例えば、ステンレスからなる。開口部縦枠芯材５３２は、屋外側においてリベット５３２ａによって開口部縦枠本体５３１に固定され、屋内側においてリベット５３２ｂによって後述するモール固定部材５３６に固定される。開口部縦枠芯材５３２と開口部縦枠本体５３１との間には、屋外側面材６１の一部及び加熱発泡材５３２ｃが配置される。開口部縦枠芯材５３２とモール固定部材５３６との間には、屋内側面材７１の一部及び加熱発泡材５３２ｄが配置される。
【００４７】
また、戸１は、開口部屋外吊元側モール部材５３４と、開口部屋内吊元側モール部材５３５と、モール固定部材５３６と、を有する。
【００４８】
開口部屋外吊元側モール部材５３４は、開口部縦枠５３の屋外側に配置される。開口部屋外吊元側モール部材５３４は、ネジ５３４ａによって、水平材８２と連結される。また、開口部屋外吊元側モール部材５３４は、モール固定部材５３４ｂによって開口部縦枠５３に固定され、モール固定部材５３４ｃによって断熱材Ｈに固定される。
【００４９】
開口部屋内吊元側モール部材５３５は、開口部縦枠５３の屋内側に配置される。
モール固定部材５３６は、開口部屋内吊元側モール部材５３５を固定するための部材であって、ネジ５３６ａによって開口部縦枠本体５３１に締結される。開口部屋内吊元側モール部材５３５は、スナップフィットによりモール固定部材５３６に固定される。
【００５０】
採風縦框４１３は、中空部４１３ａを有するホロー構造である。また、採風縦框４１３は、戸先側に形成された溝部４１３ｃと、を有する。中空部４３２ａの内部には、断面が戸先側に開放したＣ字状の採風縦框内部芯材４１３ｊが配置される。溝部４１３ｃの内部には、断面が戸先側に開放したＣ字状の採風縦框芯材４１３ｇが配置され、採風縦框芯材４１３ｇの内部には加熱発泡材４１３ｈが配置される。
【００５１】
採風縦框４１３は、障子４０の閉鎖時に屋外側において気密材５３１ｄと当接する。
ガラス４２の吊元側の端部は、溝部４１３ｃに嵌め込まれて、グレイジングチャンネル４１３ｉを介して採風縦框４１３に挟持される。
【００５２】
戸１は、吊元側の開口部縦枠５３と採風縦框４１３との間に、障子４０が開放されるのを制限するロック機構Ｌを有する。ロック機構Ｌは、把手４３によって操作される。
【００５３】
戸先側の縦框２４、開口部縦枠５４及び採風縦框４１４は、吊元側の縦框２３、開口部縦枠５３及び採風縦框４１３は、とほぼ同様の構造を有する。下戸先側の縦框２４、開口部縦枠５４及び採風縦框４１４については、吊元側の縦框２３、開口部縦枠５３及び採風縦框４１３と同様の構造には対応する符号を付して説明を省略し、これらと異なる構造について説明する。
【００５４】
戸先側の樹脂縦框２４１は、屋外側及び屋内側に別々に配置される。エッジ部材２４３は、戸１を閉鎖した際に固定縦枠１１４に当接する延出部２４３ａを有する。
戸先側の開口部縦枠本体５４１の吊元側及び戸先側の採風縦框４１４の戸先側には、それぞれ加熱発泡材５４１ｉ及び加熱発泡材４１４ｍが互いに対向して配置される。更に
戸先側の開口部縦枠本体５４１の吊元側及び戸先側の採風縦框４１４の戸先側には、屈曲して延出する延出部材５４１ｊ及び延出部材４１４ｎがそれぞれ配置される。
【００５５】
図５は、戸１を屋内側から見た図である。これにより、開口部枠体５０の有する開口部芯材５０２について説明する。図５においては、屋内側面材７１、障子４０、開口部枠体５０のうち開口部芯材５０２以外の部材及び框体２０のうち框芯材２０２以外の部材等を除いた状態の図である。
図５に示すように、戸１は、吊元の上側に配置される木片１３０ａを有する。木片１３０ａは、ドアクローザ１３０を設置する台である。
【００５６】
上記の框体２０（図５においては図示せず、図１及び図２参照）は、框芯材２０２を有する。図５に示すように、框芯材２０２は、横芯材である上框芯材２１２及び下框芯材２２２と、縦芯材である吊元側の縦框芯材２３２及び戸先側の縦框芯材２４２により矩形状に框組みされる。
【００５７】
上記の開口部枠体５０（図５においては図示せず、図１及び図２参照）は、開口部芯材５０２を有する。開口部芯材５０２は、横芯材である開口部上枠芯材５１２及び開口部下枠芯材５２２と、縦芯材である吊元側の開口部縦枠芯材５３２及び戸先側の開口部縦枠芯材５４２により枠組みされる。
開口部芯材５０２は、開口部３０の周囲に配置された本体部５５２と、本体部５５２から延出して框芯材２０２まで延びる延出部５６２ａ，５６２ｂ，５６２ｃと、を有する。
【００５８】
より具体的には、延出部５６２ａは、吊元側の開口部縦枠芯材５３２が下方向に延出して下框芯材２２２まで延びることで形成される。延出部５６２ｂは、戸先側の開口部縦枠芯材５４２が上方向に延出して上框芯材２１２まで延びることで形成される。延出部５６２ｃは、戸先側の開口部縦枠芯材５４２が下方向に延出して下框芯材２２２まで延びることで形成される。
【００５９】
図６は、図５の領域Ｒ１の拡大図である。
開口部上枠芯材５１２は、端部から屈曲して延出した延出部５１２ｅを有する。図５に示すように、開口部上枠芯材５１２と開口部縦枠芯材５３２とは、延出部５１２ｅと開口部縦枠芯材５３２の戸先側の面とがリベット５１２ｆにて締結されることによって連結される。なお、他の横枠芯材と縦枠芯材との連結部分も、開口部上枠芯材５１２と開口部縦枠芯材５３２との連結部分と同様の構造である。
【００６０】
図７Ａ及び図７Ｂは、図５の領域Ｒ２の拡大図である。図７Ａは、開口部縦枠芯材５４２と下框芯材２２２とが接続する前の状態について、図７Ｂは、開口部縦枠芯材５４２と下框芯材２２２とが接続した状態について、それぞれ示す図である。
図７Ａに示すように、開口部縦枠芯材５４２の端部から延出して屈曲した延出部５４２ｅを有する。
【００６１】
図７Ｂに示すように、開口部縦枠芯材５４２は下框芯材２２２まで延びて、延出部５４２ｅを下框芯材２２２によって形成される溝の内部に飲み込ませる。このように、開口部縦枠芯材５４２と下框芯材２２２とは、特にネジやリベット等の締結部材を用いることなく接続される。なお、他の縦枠芯材と横框芯材との接続部分も、開口部縦枠芯材５４２と下框芯材２２２との接続部分と同様の構造である。
【００６２】
本実施形態に係る戸１によれば、以下の効果が奏される。
本実施形態では、框体２０の内側に開口部３０が形成され且つ開口部３０の内部に嵌め込まれる障子４０を備える戸１において、開口部枠体５０が開口部芯材５０２を有するものとした。更に、開口部芯材５０２が、開口部３０の周囲に配置された本体部５５２と、本体部５５２から延出して框体２０の有する框芯材２０２まで延びる延出部５６２ａ，５６２ｂ，５６２ｃと、を有するものとした。
これにより、火災時の熱によって開口部枠体５０の反りだけではなく、戸１自体が反ってしまうことを防ぐことができる。戸１自体が反るのを防ぐことにより、戸１と障子４０との間だけではなく、戸１と固定枠体１１０との間に、火炎や煙が通過する隙間が生じるのを防ぐことができる。従って、戸１の防火性能が十分に向上する。
【００６３】
また、本実施形態では、延出部５６２ａ，５６２ｂ，５６２ｃが、本体部５５２を構成する縦芯材（開口部縦枠芯材５３２及び開口部縦枠芯材５４２）及び横芯材（開口部上枠芯材５１２及び開口部下枠芯材５２２）のうち少なくとも一方が延出して框芯材２０２まで延びるものとした。つまり、本実施形態では、本体部５５２を構成する縦芯材及び横芯材のうち少なくとも一方が延出部５６２ａ，５６２ｂ，５６２ｃも構成するものとした。
これにより、戸１自体が反ってしまうことをより強く防ぐことができるので、より効果的に戸１の防火性能を向上させることができる。
【００６４】
また、本実施形態では、延出部５６２ａ，５６２ｂ，５６２ｃが、本体部５５２を構成する縦芯材（開口部縦枠芯材５３２及び開口部縦枠芯材５４２）が延出して框芯材２０２まで延びるものとした。
戸１は、幅方向よりも高さ方向の方が長いので、熱によって、高さ方向で反りが生じやすい。縦芯材を延出させて、延出部５６２ａ，５６２ｂ，５６２ｃを形成することで、戸１自体が高さ方向で反ってしまうのを抑制できることから、より効果的に戸１の防止性能を向上させることができる。
【００６５】
また、本実施形態では、開口部３０に障子４０を開閉可能に嵌め込んだ。
これにより、戸１を開放することなく、障子４０を開放することで屋内の通気・換気（採風）を行うことが可能になる。更に、戸１に開口部３０を形成して、開口部３０に開閉可能な障子４０を嵌め込むと、通常は高い防火性能を得るのが難しいが、本実施形態においては、上記の延出部５６２ａ，５６２ｂ，５６２ｃによって十分に満足できる防火性能が得られる。
【００６６】
なお、本発明は上記実施形態に限定されるものではなく、本発明の目的を達成できる範囲での変形、改良等は本発明に含まれる。
上記実施形態では、延出部５６２ａ，５６２ｂ，５６２ｃが、開口部縦枠芯材５３２又は開口部縦枠芯材５４２から延出して横框芯材（上框芯材２１２又は下框芯材２２２）まで延びるものとしたが、本発明はこれに限定されない。本発明は、延出部が、横芯材から延出して縦框芯材まで延びるものであってもよい。
【００６７】
また、本実施形態では、延出部５６２ａ，５６２ｂ，５６２ｃが、本体部５５２の一部（開口部縦枠芯材５３２又は開口部縦枠芯材５４２）と一体であるものとしたが、本発明はこれに限定されない。例えば、本発明では、延出部を本体部と別部材として、縦芯材又は横芯材の端部ではない箇所から延出部を延出させてもよい。
【００６８】
また、上記実施形態では、図５の領域Ｒ２の構造において、開口部縦枠芯材５４２の延出部５４２ｅを下框芯材２２２によって形成される溝の内部に飲み込ませたが、この部分の構造についても適宜、変形や改良をすることができる。例えば、延出部５４２ｅを、下框芯材２２２によって形成される溝と嵌合させてもよい。
【００６９】
また、延出部５４２ｅは、下框芯材２２２によって形成される溝の内部に常に当接する必要はない。延出部５４２ｅが、下框芯材２２２の溝の内部に常に当接しない場合には、火災時の熱によって開口部縦枠５４（開口部縦枠芯材５４２）が反ろうとした際に延出部５４２ｅが下框芯材２２２の溝の内部に当接するようにすることで、開口部縦枠５４（開口部縦枠芯材５４２）の反りを防止してもよい。また、延出部５４２ｅと下框芯材２２２とを、ネジやリベット等の締結部材を用いて接続してもよい。
【００７０】
また、上記実施形態では、戸１を開き戸としたが、本発明は引き戸にも適用可能である。更に、上記実施形態では、開口部３０の内部に障子４０を嵌め込んだが、本発明は開口部３０にガラスを嵌め込んだ戸（ＦＩＸ窓を形成した戸）にも適用可能である。
【符号の説明】
【００７１】
１…戸
２０…框体
２１…上框（横枠）
２２…下框（横枠）
２３，２４…縦框
２０２…框芯材
３０…開口部
４０…障子（障子又はガラス）
５０…開口部枠体
５１…開口部上枠（横枠）
５２…開口部下枠（横枠）
５３，５４…開口部縦枠（縦枠）
５０２…開口部芯材
５１２…開口部上枠芯材（横芯材）
５２２…開口部下枠芯材（横芯材）
５５２…本体部
５６２ａ，５６２ｂ，５６２ｃ…延出部
５３２，５４２…開口部縦枠芯材（縦芯材）
Ａ…躯体開口部
【図１】
0006450171.tif 000002
【図２】
0006450171.tif 000003
【図３】
0006450171.tif 000004
【図４】
0006450171.tif 000005
【図５】
0006450171.tif 000006
【図６】
0006450171.tif 000007
【図７Ａ】
0006450171.tif 000008
【図７Ｂ】
0006450171.tif 000009